(57)【要約】【課題】木構造を構成している項目のなかから、簡単な操作で所望の項目を検索することを可能とする。【解決手段】検索の起点となる項目（メニュー３０３）が指定され、検索条件が指定されているときには、当該項目の下位の項目で当該検索条件に合致する項目が、画面（メニュー画面３００）の上に重ねて表示される下位項目表示領域（拡大画面３４０）に表示される。検索条件が指定されていないときには、当該項目の下位の項目が下位項目表示領域に表示される。【選択図】図８
2019207472.tif 000002
【特許請求の範囲】
【請求項１】
木構造を構成する項目のなかで検索の起点となる項目を示す検索起点項目より下位の項目を表示する情報表示装置であって、
指定された前記検索の検索条件を指定済み検索条件として記憶する記憶部と、
画面に表示された前記項目を前記検索起点項目に指定する所定の検索指示操作を検出した場合、前記指定済み検索条件が記憶されているときには、当該項目の下位にあり前記指定済み検索条件に合致する項目を下位項目表示領域に表示し、前記指定済み検索条件が記憶されていないときには、当該項目の下位にある項目を前記下位項目表示領域に表示する制御部とを備え、
前記下位項目表示領域は、前記画面の上に重ねて表示される
ことを特徴とする情報表示装置。
【請求項２】
前記情報表示装置は、ポインティングデバイスを備え、
前記所定の検索指示操作は、前記画面に表示される前記ポインティングデバイスのポインタが前記項目を所定の時間に亘って指定する操作である
ことを特徴とする請求項１に記載の情報表示装置。
【請求項３】
前記情報表示装置は、前記画面が表示されるタッチパネルディスプレイを備え、
前記所定の検索指示操作は、前記画面に表示された前記項目を所定の時間タッチする操作、所定の時間内に複数回タッチする操作、または、所定の押圧力以上でタッチする操作である
ことを特徴とする請求項１に記載の情報表示装置。
【請求項４】
前記下位項目表示領域は、
所定の下位項目表示領域表示操作を検出したときに表示され、前記検索起点項目を指定する検索起点項目指定ポインタを含み、
前記検索指示操作は、
前記検索起点項目指定ポインタを用いて前記検索起点項目が指定される操作である
ことを特徴とする請求項１に記載の情報表示装置。
【請求項５】
木構造を構成する項目のなかで検索の起点となる項目を示す検索起点項目より下位の項目を表示する制御部を備える情報表示装置であって、
前記制御部は、
画面に表示された前記項目を前記検索起点項目に指定する検索起点項目指定ポインタを含み、指定された前記検索の検索条件が付与された下位項目表示領域を表示し、
前記検索起点項目指定ポインタを用いて前記検索起点項目が指定される操作を検出すると、当該検索起点項目の下位にあり前記検索条件に合致する項目を前記下位項目表示領域に表示する
ことを特徴とする情報表示装置。
【請求項６】
前記制御部は、
複数の前記下位項目表示領域を表示し、
第１の前記下位項目表示領域が第２の前記下位項目表示領域に重ねられるように移動される操作を検出した場合、第１の前記下位項目表示領域および第２の前記下位項目表示領域の表示を中止し、第１の前記下位項目表示領域に付与された検索条件および第２の前記下位項目表示領域に付与された検索条件をＡＮＤまたはＯＲで結合された検索条件が付与された下位項目表示領域を表示する
ことを特徴とする請求項５に記載の情報表示装置。
【請求項７】
前記制御部は、
前記下位項目表示領域に表示された項目が指定される操作を検出すると、当該項目にアクセスする
ことを特徴とする請求項１〜６のいずれか１項に記載の情報表示装置。
【請求項８】
前記検索条件は、検索対象となる項目の名称に指定された文字列を含むという条件、検索対象となる項目の種別が指定された種別であるという条件、および、検索対象となる項目が最後にアクセスされた日時が指定された期間内であるという条件の１つまたは複数の組み合わせである
ことを特徴とする請求項１〜７のいずれか１項に記載の情報表示装置。
【請求項９】
前記項目は、ファイルシステムにおけるファイルおよびフォルダであり、
前記アクセスは、前記ファイルを閲覧するアクセスまたは更新するアクセスである
ことを特徴とする請求項７または８に記載の情報表示装置。
【請求項１０】
前記項目は、メニューであり、
前記アクセスは、前記メニューの実行である
ことを特徴とする請求項７または８に記載の情報表示装置。
【請求項１１】
コンピュータを請求項１〜１０のいずれか１項に記載の情報表示装置として機能させるための情報表示プログラム。
【発明の詳細な説明】
【技術分野】
【０００１】
本発明は、木構造を構成している項目のなかから所望の項目を検索して表示する情報表示装置および情報表示プログラムに関する。
【背景技術】
【０００２】
コンピュータ上の操作対象（項目）には、木構造（階層構造）を構成するものが多い。代表例として、ファイルとフォルダが構成する木構造（ファイルシステム）、メニューの階層および組織の部門や部署に対応した階層構造をもつアドレス帳などがある。
【０００３】
操作対象のファイルを探す場合には、利用者は、ファイルシステムの木構造を辿りながらファイル（項目）を探したり、検索起点となるフォルダとファイル名などの検索条件を指定して、検索起点のフォルダの下位に存在して検索条件に合致するファイルを探したりする。しかしながら、従来のファイル管理ツールでは、木構造を辿るたびに移動先のフォルダを指定する必要があり、操作が煩わしい。また、検索起点のフォルダを選択するたびに検索条件を指定する必要があり、操作が面倒である。
【０００４】
階層構造に係る検索技術として特許文献１に記載の技術がある。
【先行技術文献】
【特許文献】
【０００５】
【特許文献１】特開２００５−１４１６６３号公報
【発明の概要】
【発明が解決しようとする課題】
【０００６】
特許文献１に記載の検索技術は、イベントログを対象とし、検索条件を木構造としている技術である。検索対象が木構造を構成しているファイルやメニュー、アドレス帳などに本技術を適用するのは困難である。
本発明は、木構造を構成している項目のなかから、簡単な操作で所望の項目を検索することを可能とする情報表示装置および情報表示プログラムを提供することを課題とする。
【課題を解決するための手段】
【０００７】
前記した課題を解決するため、請求項１に記載の発明は、木構造を構成する項目のなかで検索の起点となる項目を示す検索起点項目より下位の項目を表示する情報表示装置であって、指定された前記検索の検索条件を指定済み検索条件として記憶する記憶部と、画面に表示された前記項目を前記検索起点項目に指定する所定の検索指示操作を検出した場合、前記指定済み検索条件が記憶されているときには、当該項目の下位にあり前記指定済み検索条件に合致する項目を下位項目表示領域に表示し、前記指定済み検索条件が記憶されていないときには、当該項目の下位にある項目を前記下位項目表示領域に表示する制御部とを備え、前記下位項目表示領域は、前記画面の上に重ねて表示されることを特徴とする情報表示装置とした。
【発明の効果】
【０００８】
本発明によれば、木構造を構成している項目のなかから、簡単な操作で所望の項目を検索することを可能とする情報表示装置および情報表示プログラムを提供することができる。
【図面の簡単な説明】
【０００９】
【図１】第１の実施形態に係る情報表示装置の全体構成を示す図である。
【図２】第１の実施形態に係るメニュー階層データベースのデータ構成図である。
【図３】第１の実施形態に係るフィルタデータベースのデータ構成図である。
【図４】第１の実施形態に係る健保システムのメニュー画面の画面構成を示す図である。
【図５】第１の実施形態に係る、フィルタが設定されていない状態での拡大画面が表示されている健保システムのメニュー画面を示す図である。
【図６】第１の実施形態に係る、スクロール後の拡大画面が表示された健保システムのメニュー画面を示す図である。
【図７】第１の実施形態に係る、フィルタ選択画面が表示された健保システムのメニュー画面を示す図である。
【図８】第１の実施形態に係る、フィルタが設定された状態での拡大画面が表示されている健保システムのメニュー画面を示す図である。
【図９】第１の実施形態に係る拡大画面操作処理のフローチャートである。
【図１０】第１の実施形態の変形例に係る、フィルタが設定された状態での拡大画面が表示された健保システムのメニュー画面を示す図である。
【図１１】第２の実施形態に係る情報表示装置の全体構成を示す図である。
【図１２】第２の実施形態に係るファイルシステムデータベースのデータ構成図である。
【図１３】第２の実施形態に係るフィルタデータベースのデータ構成図である。
【図１４】第２の実施形態に係るファイル管理プログラムのファイル管理画面の画面構成を示す図である。
【図１５】第２の実施形態に係る、フィルタ選択画面が表示されたファイル管理プログラムのファイル管理画面を示す図である。
【図１６】第２の実施形態に係る虫眼鏡が表示されたファイル管理プログラムのファイル管理画面を示す図である。
【図１７】第２の実施形態に係る、フォルダ内容を示す虫眼鏡が表示されたファイル管理プログラムのファイル管理画面を示す図である。
【図１８】第２の実施形態に係る、虫眼鏡内にポインタが移動されたときのファイル管理プログラムのファイル管理画面を示す図である。
【図１９】第２の実施形態に係る虫眼鏡操作処理のフローチャートである。
【図２０】第２の実施形態の変形例に係り、矢印のポインタの替わりに虫眼鏡が表示されたファイル管理プログラムのファイル管理画面を示す図である。
【図２１】第２の実施形態の変形例に係り、ポインタに替わる虫眼鏡が表示されたファイル管理プログラムのファイル管理画面を示す図である。
【図２２】第３の実施形態に係る情報表示装置の全体構成を示す図である。
【図２３】第３の実施形態に係るファイル管理プログラムのファイル管理画面の画面構成を示す図である。
【図２４】第３の実施形態に係る虫眼鏡の検索条件種別選択メニューが表示されたファイル管理プログラムのファイル管理画面を示す図である。
【図２５】第３の実施形態に係る虫眼鏡の検索条件パラメータ選択メニューが表示されたファイル管理プログラムのファイル管理画面を示す図である。
【図２６】第３の実施形態に係る、「参照日（３日以内）検索」の虫眼鏡が表示されたファイル管理プログラムのファイル管理画面を示す図である。
【図２７】第３の実施形態に係る、３種類の虫眼鏡が表示されたファイル管理プログラムのファイル管理画面を示す図である。
【図２８】第３の実施形態に係る、２種類の虫眼鏡を合体した後のファイル管理プログラムのファイル管理画面を示す図である。
【図２９】第３の実施形態に係る、３種類の虫眼鏡を重ねた後のファイル管理プログラムのファイル管理画面を示す図である。
【図３０】第３の実施形態に係る、検索結果を表示した虫眼鏡が表示されたファイル管理プログラムのファイル管理画面を示す図である。
【図３１】第３の実施形態に係る虫眼鏡操作処理のフローチャートである。
【図３２】第３の実施形態に係る虫眼鏡移動処理のフローチャートである。
【発明を実施するための形態】
【００１０】
以下に、本発明を実施するための実施形態を説明する。
【００１１】
≪第１の実施形態：メニューを検索して表示≫
第１の実施形態は、木構造（階層構造）を構成するメニュー（項目）を備えており、メニューを選択して所望の健康保険（健保）業務処理を実行する情報表示装置である。第１の実施形態を用いて木構造を構成するメニューにおける所望のメニューを検索することができる情報表示装置を説明する。
【００１２】
≪第１の実施形態：情報表示装置の全体構成≫
図１は、第１の実施形態に係る情報表示装置１００の全体構成を示す図である。情報表示装置１００は、制御部１１０と、入出力部１２０と、記憶部１３０とを備える。制御部１１０は、ＣＰＵ（Central Processing Unit）から構成され、後記する健保システムプログラム１３１を実行することで、コンピュータである情報表示装置１００を健保業務システムとして機能させる。入出力部１２０は、ディスプレイ１２１やキーボード１２２、マウス１２３などから構成され、利用者からの指示を受け付けたり、メニュー画面を表示したりする。
【００１３】
情報表示装置１００は、ディスプレイ、キーボードおよびマウスの替わりにタッチパネルディスプレイを備えてもよい。また、マウスの替わりにタッチパッド、トラックボール、ポインティング・スティック、ペンタブレットなどのポインティングデバイスを備えてもよい。入出力部１２０は、サーバなどのコンピュータと通信データを送受信する通信デバイスを備えてもよい。
【００１４】
記憶部１３０は、ＳＳＤ（Solid State Drive）やＨＤＤ（Hard Disk Drive）、ＲＯＭ（Read Only Memory）、ＲＡＭ（Random Access Memory）などから構成され、健保システムプログラム１３１、メニュー階層データベース（図１ではメニュー階層ＤＢ（Database）と記載、後記する図２参照）１４０およびフィルタデータベース（図１ではフィルタＤＢと記載、後記する図３参照）１６０を備える。
【００１５】
健保システムプログラム１３１は、健康保険業務処理を行うためのプログラムである。利用者は、後記する図４に示すメニュー画面からメニューを選択して実行することで業務を遂行する。メニュー（項目）は、木構造（階層構造）を構成している。例えば、「パラメータ・マスタ保守」メニュー３０１（図４参照）の下には、「パラメータ保守」メニュー（不図示）があり、「パラメータ保守」メニューの下には、「会社パラメータ」メニューや「制御パラメータ」メニュー（不図示）がある。
【００１６】
メニューに対して所定の操作を行うと、当該メニューの下位にあるメニューのなかで検索条件であるフィルタに合致するメニューが検索されて表示される（後記する図８参照）。フィルタが設定されていない場合には、全ての下位のメニューが表示される（後記する図５，６参照）。検索条件であるフィルタは、画面上で所定の操作を行うことで切り替えられる（後記する図７参照）。健保システムプログラム１３１は、このようなメニューの検索と表示とを実行する。
【００１７】
≪第１の実施形態：メニュー階層データベースの構成≫
図２は、第１の実施形態に係るメニュー階層データベース１４０のデータ構成図である。メニュー階層データベース１４０は、例えば表形式のデータであり、１つの行（レコード）は、１つのメニューを示す。メニュー階層データベース１４０のレコードは、メニュー識別情報１４１、上位メニュー１４２、メニュー番号１４３、メニュー名１４４、実行コマンド１４５および最終実行日時１４６の属性（列）を含む。
【００１８】
メニュー識別情報１４１は、レコードが示すメニューの識別情報である。上位メニュー１４２は、レコードが示すメニューの上位メニューのメニュー識別情報１４１である。メニュー番号１４３は、同じ上位メニュー１４２をもつメニューの集合内での通し番号である。メニュー名１４４は、メニューの名前であり、メニュー画面（図４参照）に表示される。
【００１９】
実行コマンド１４５は、メニューを実行するコマンドの識別情報である。メニューの木構造のなかで最下位のメニューが選択されると、実行コマンド１４５が実行され、メニューに対応した業務用の画面が表示されて、利用者が当該業務を実行できるようになる。なお、下位メニューが存在するメニューが選択されると、下位メニュー一覧が表示されるメニュー画面に遷移する。
最終実行日時１４６は、実行コマンド１４５が実行された最終日時を示す。
【００２０】
レコード１５１は、メニュー識別情報１４１が「１０６０００００」であるメニューを表している。上位メニュー１４２は、「−」であり、上位のメニューが存在しない最上位のメニューであることを示している。メニュー番号１４３は、「６」であって、最上位メニュー中６番目のメニューであり、メニュー名１４４は、「給付業務（レセプト）」である。
【００２１】
≪第１の実施形態：フィルタデータベースの構成≫
図３は、第１の実施形態に係るフィルタデータベース１６０のデータ構成図である。フィルタデータベース１６０は、例えば表形式のデータであり、１つの行（レコード）は、１つのフィルタ（検索条件）を示す。フィルタデータベース１６０のレコードは、フィルタ識別情報１６１、検索条件種別１６２およびパラメータ１６３の属性（列）を含む。
【００２２】
フィルタ識別情報１６１は、レコードが示すフィルタの識別情報である。検索条件種別１６２は、「実行日時」や「お気に入り」などのフィルタの検索条件種別を示す。パラメータ１６３は、検索のパラメータを示す。
【００２３】
レコード１６７のフィルタは、フィルタ識別情報１６１が「２００００１」のフィルタを表しており、検索条件種別１６２は「実行日時」であって、パラメータ１６３にある「１週以内」に実行されたメニューを検索することを示している。
【００２４】
レコード１６８のフィルタは、パラメータ１６３にある「月末１週以内」に実行されたメニューを検索することを示している。
レコード１６９のフィルタは、メニュー名１４４に「受渡しデータ」または「レセプト入力」を含むメニューを検索することを示している。
【００２５】
≪第１の実施形態：画面操作例（フィルタなし）≫
情報表示装置１００のメニュー検索処理を説明する前に、図４〜図８を参照して、利用者の操作と画面遷移を説明する。図４は、第１の実施形態に係る健保システムのメニュー画面３００の画面構成を示す図である。メニュー画面３００には、健保システムのメニュー階層における最上位のメニューが表示されている。例えば、メニュー３０２は、「給付業務（療養費・現金給付）」のメニューであり、レコード１５２（図２参照）に対応している。メニュー３０２をクリックすると「療養費給付」メニュー（図２のレコード１５３参照）を含む「給付業務（療養費・現金給付）」メニューの下位メニューが並んだ画面が表示される。
【００２６】
初期状態ではフィルタは、設定されていない。この状態でメニュー３０２に対して後記する拡大画面表示操作（検索指示操作）を行うと、メニュー３０２の下位のメニューが拡大画面に表示される。図５は、第１の実施形態に係る、フィルタが設定されていない状態での拡大画面（下位項目表示領域）３２０が表示されている健保システムのメニュー画面を示す図である。なお、拡大画面表示操作とは、メニュー３０２上にポインタ３１０（図４参照）が移動され、メニュー３０２を所定の時間指定することである。
【００２７】
現在の状態では、フィルタ（図３参照）が設定されていないため、メニュー３０２の下位メニュー全てが検索されて拡大画面３２０に表示される。例えば、拡大画面３２０の１行目の「療養費給付 ＞ レセプト処理」は、メニュー３０２の「給付業務（療養費・現金給付）」の下位メニューとして「療養費給付」メニュー（図２のレコード１５３参照）があり、その下位に「レセプト処理」メニュー（図２のレコード１５４参照）があることを示している。なお、以下では、拡大画面表示操作の対象となったメニューであり、検索の起点となったメニューを対象メニュー（検索起点項目）とも記す。即ち、図５においては、「給付業務（療養費・現金給付）」が対象メニューとなる。
【００２８】
メニュー３０２の「給付業務（療養費・現金給付）」には下位メニューが多いため、全ての下位メニューが同時には、拡大画面３２０に表示されていない。ポインタが拡大画面３２０の下部に移動される（ポインタ３１０Ａ参照）と、拡大画面３２０がスクロールして他の下位メニューが表示される。
【００２９】
図６は、第１の実施形態に係る、スクロール後の拡大画面３２０Ａが表示された健保システムのメニュー画面を示す図である。拡大画面３２０では一番下に表示されていた「現金給付 ＞ 現金給付申請書・請求書処理」メニューが、拡大画面３２０Ａでは、上スクロールの結果、３行目に表示されている。ポインタが拡大画面３２０Ａの上部に移動されると、下にスクロールして、元の拡大画面３２０（図５参照）に戻る。
【００３０】
拡大画面３２０Ａに表示された下位メニュー「療養費給付 ＞ 月次帳票作成処理」上にあるポインタ３１０Ｂ（図６参照）がクリック（ポインタ３１０Ｂの位置でマウスボタンがクリック）されると、当該下位メニュー「月次帳票作成処理」が実行される（「月次帳票作成処理」メニューに対応する実行コマンド１４５（図２参照）が実行される）。
【００３１】
≪第１の実施形態：画面操作例（フィルタあり）≫
図５と図６では、フィルタが設定されていない状態での拡大画面を説明した。続いて、フィルタが設定されている状態での拡大画面について説明する。
図７は、第１の実施形態に係る、フィルタ選択画面３３０が表示された健保システムのメニュー画面を示す図である。メニュー３０３にポインタが置かれて、右クリックを検知すると、フィルタ選択画面３３０が表示される。フィルタ選択画面３３０には、フィルタデータベース１６０（図３参照）に登録されているフィルタと、フィルタを設定しない「検索条件なし」とが表示される。フィルタ選択画面３３０でポインタ３１０Ｃを用いて「お気に入り（受渡しデータ、レセプト入力）」が選択されると、レコード１６９に対応するフィルタが選択され、以降は、選択されたフィルタを用いて対象メニュー（検索起点項目）より下位のメニューが検索される。「検索条件なし」が選択されると、以降は、対象メニューより下位の全てのメニューが検索される。
【００３２】
図８は、第１の実施形態に係る、フィルタが設定された状態での拡大画面（下位項目表示領域）３４０が表示されている健保システムのメニュー画面を示す図である。メニュー３０３に対して拡大画面表示操作を行うと、拡大画面３４０が表示される。メニュー３０３の下位メニューであって、現在設定されているレコード１６９に示されたフィルタの検索条件（メニュー名１４４（図２参照）に「受渡しデータ」または「レセプト入力」を含むメニュー）に合致するメニューは２つ存在し、拡大画面３４０に表示されている。ポインタ３１０Ｄの位置でマウスボタンがクリックされると、メニュー３０３の下位メニュー「登録業務」のさらに下位メニューである「レセプト入力」メニューが実行される。
【００３３】
≪第１の実施形態：拡大画面操作処理≫
図９は、第１の実施形態に係る拡大画面操作処理のフローチャートである。図９を参照して、制御部１１０が実行する拡大画面操作処理の流れを示す。
ステップＳ１０１において、制御部１１０は、利用者の操作として拡大画面表示操作（検索指示操作）（ポインタが所定の時間メニューボタン上に存在してメニューを指定する）を検知したかを判断し、検知した場合には（ステップＳ１０１→Ｙ）ステップＳ１０３に進み、検知しなかった場合には（ステップＳ１０１→Ｎ）ステップＳ１０２に進む。
【００３４】
ステップＳ１０２において、制御部１１０は、ステップＳ１０１で検知した操作に対応した処理を実行する。例えば、メニューがクリックされた場合には、制御部１１０は、当該メニューの下位のメニュー一覧を表示する画面（不図示）に遷移する。また、メニューが右クリックされた場合には、フィルタ選択画面３３０（図７参照）が表示され、選択されたフィルタが選択済みフィルタ（指定済み検索条件）として記憶部１３０に記憶される。選択済みフィルタは、以降の検索で使用される。なお、「検索条件なし」が選択されると、選択済みフィルタが削除される。
【００３５】
ステップＳ１０３において、制御部１１０は、拡大画面を表示する。詳しくは、制御部１１０は、メニュー階層データベース１４０（図２参照）のなかで対象メニューの下位メニューであって、現在設定中のフィルタ（選択済みフィルタ）の検索条件種別１６２とパラメータ１６３に合致するメニューを検索して、拡大画面に表示する。対象メニューの下位メニューか否かはメニュー識別情報１４１と上位メニュー１４２を参照することで判断できる。検索条件種別１６２（図３参照）が「実行日時」であった場合（レコード１６７参照）には、最終実行日時１４６（図２参照）がパラメータ１６３（図３参照）と合致するか否かで検索条件に合致するか否かを判断できる。検索条件種別１６２が「お気に入り」であった場合（レコード１６９参照）には、メニュー名１４４（図２参照）がパラメータ１６３にある文字列を含むか否かで検索条件に合致するか否かを判断できる。
フィルタが設定されていない（選択済みフィルタが存在しない）状態であれば、制御部１１０は、対象メニューの下位メニュー全てを検索して、拡大画面に表示する。
【００３６】
ステップＳ１０４において、制御部１１０は、検知した利用者の操作に応じてステップＳ１０５〜Ｓ１０９に分岐する。詳しくは、制御部１１０は、マウスホイールを回す（キーボード１２２のスクロールキーの入力）操作を検出したときには（ステップＳ１０４→ホイールを回す）ステップＳ１０５に進む。制御部１１０は、ポインタを拡大画面上部に移動する操作を検出したときには（ステップＳ１０４→ポインタを拡大画面上部に移動）ステップＳ１０６に進む。制御部１１０は、ポインタを拡大画面下部に移動する操作（図５のポインタ３１０Ａ参照）を検出したときには（ステップＳ１０４→ポインタを拡大画面下部に移動）ステップＳ１０７に進む。制御部１１０は、拡大画面内でボタンまたはホイールをクリックする操作を検出したときには（ステップＳ１０４→拡大画面内でボタンまたはホイールをクリック）ステップＳ１０８に進む。制御部１１０は、拡大画面外にポインタが移動されて所定時間が経過したとき、またはキーボード１２２のエスケープキーを入力する操作を検出したときには（ステップＳ１０４→拡大画面外にポインタを移動、エスケープキー入力）ステップＳ１０９に進む。
【００３７】
ステップＳ１０５において、制御部１１０は、マウスホイール操作（スクロールキー入力）に応じて拡大画面をスクロールして、ステップＳ１０４に戻る。
ステップＳ１０６において、制御部１１０は、拡大画面を下にスクロールして、ステップＳ１０４に戻る。
ステップＳ１０７において、制御部１１０は、拡大画面を上にスクロールして、ステップＳ１０４に戻る。
【００３８】
ステップＳ１０８において、制御部１１０は、拡大画面表示を終了して、ポインタ位置にあるメニューを実行する。例えば、ポインタ３１０Ｄ（図８参照）の場合、制御部１１０は、「レセプト入力」メニューを実行して（「レセプト入力」メニューに対応する実行コマンド１４５（図２参照）を実行する）、ステップＳ１０１に戻る。
ステップＳ１０９において、制御部１１０は、拡大画面の表示を終了して、ステップＳ１０１に戻る。
【００３９】
≪第１の実施形態：特徴≫
ポインタがメニューの上に移動される（ポインタがメニューの上に移動されて所定の時間が経過する）という拡大画面表示操作を検知すると、制御部１１０は、当該メニューの全ての下位メニューまたは選択済みフィルタの条件に合致する下位メニューを拡大画面に表示する。ポインタが拡大画面外に移動される（ポインタが拡大画面外に移動されて所定の時間が経過する）と拡大画面表示が終了する（図９のステップＳ１０９参照）。このようにして、ポインタをメニューからメニューへと移動させるだけで、利用者は、所望のメニューが何処にあるかを探すことができる。
【００４０】
従来までは、メニューをクリックしたり、上位メニューに戻るボタンをクリックしたりしながら、メニューの木構造のなかを移動して目的のメニューを探していた。すなわち、利用者は、表示されるメニューが異なる別のメニュー画面への遷移を繰り返しながら、所望のメニューを探していた。利用者は、画面遷移のためのクリックをする必要がなくなり、ポインタの移動操作だけで拡大画面に表示されたメニューのなかから目的のメニューを探すことができようになるため、煩雑な操作から開放される。
【００４１】
また、利用者が、拡大画面上で目的のメニューをクリックする（図９のステップＳ１０４→拡大画面内でボタンまたはホイールをクリック、ステップＳ１０８参照）と当該メニューが実行される。利用者は探し出したメニューを、メニューの木構造を辿ることなく即座に実行することができる。
【００４２】
利用者は、フィルタをフィルタデータベース１６０に登録してフィルタ選択画面３３０（図７参照）で指定することで頻繁に実行するメニューを拡大画面に表示させ、容易にメニューを実行することができる。例えば、メニュー名がお気に入りとして登録され（図３のレコード１６９参照）フィルタとして選択されれば、登録されたメニューが表示される（図８の拡大画面３４０参照）。情報表示装置１００は、週に一回は実行されるメニュー（図３のレコード１６７参照）を表示したり、月末に実行されるメニュー（レコード１６８参照）を表示したりすることが可能である。
【００４３】
≪第１の実施形態：変形例：拡大画面表示≫
フィルタが設定されている（選択済みフィルタが指定されている）状態では、当該フィルタに合致した下位メニューが拡大画面に表示される（図８の拡大画面３４０参照）。これに対して、全ての下位メニューも合わせて表示されるようにしてもよい。
【００４４】
図１０は、第１の実施形態の変形例に係る、フィルタが設定された状態での拡大画面３４０Ａが表示された健保システムのメニュー画面を示す図である。拡大画面３４０（図８参照）と比較すると、フィルタ（図３のレコード１６９参照）に合致する下位メニューである「データ作成 ＞ 分析用受渡しデータ作成」と「登録業務 ＞ レセプト入力」とに加えて、他の下位メニューも表示される。但し、他の下位メニューの全ては表示されていない。利用者が、ポインタ３１０Ｅを拡大画面３４０Ａの下部に移動すると、拡大画面３４０Ａは上にスクロールし、他の下位メニューが表示される。
【００４５】
拡大画面３４０Ａには、表示対象となっているメニュー（対象メニュー）の名前が拡大画面３４０Ａの上部３４１に表示されている。このように、対象メニューの名前を表示することで、利用者はどのメニューの下位メニューが表示されているか即座に把握することができる。対象メニューの名前は、メニュー画面３００の所定の位置に表示されるようにしてもよい。
【００４６】
≪第１の実施形態：変形例：拡大画面表示操作≫
上記した第１の実施形態において、拡大画面表示を表示する操作は、ポインタを所定の時間メニューの上に置くことであった。これに対して、所定のキー（例えばＡＬＴキー）を押しながらメニューを右クリックすることで、制御部１１０は、拡大画面を表示するようにしてもよい。
【００４７】
≪第１の実施形態：変形例：タッチパネルディスプレイ≫
情報表示装置１００が、マウスやディスプレイの替わりタッチパネルディスプレイを備えている場合、所定時間のメニューのタッチ（長押し）、弱く押されたこと（ピーク）または強く（深めに）押されたこと（ポップ、プレス）を検知して拡大画面を表示するようにしてもよい。また、メニューがタップされることで、下位メニューの一覧表示画面に遷移するならば、制御部１１０は、メニューをダブルタップされることで、拡大画面を表示するようにしてもよい。逆に、メニューがダブルタップされることで、下位メニューの一覧表示画面に遷移するならば、制御部１１０は、メニューをタップされることで、拡大画面を表示するようにしてもよい。
【００４８】
≪第１の実施形態：変形例：フィルタの登録≫
第１の実施形態において、フィルタ（図３参照）は、所定の登録画面（不図示）を用いて、利用者が登録する。制御部１１０は、メニューの実行履歴を記録しておき、この実行履歴を参照して月や四半期、半年、年ごとなど定期的に実行されるメニューを検出することで、検索条件種別１６２が「実行日時」であって、検出した時期に合ったパラメータ１６０をもつレコードをフィルタデータベース１６０に追加するようにしてもよい。また、メニューの実行頻度が所定の閾値以上ならば、制御部１１０が当該メニューをお気に入りのフィルタとしてフィルタデータベース１６０に登録するようにしてもよい。
【００４９】
≪第２の実施形態：ファイルを検索して表示≫
第２の実施形態は、ファイルシステムの木構造から所望のフォルダやファイル（項目）を検索して表示する情報表示装置である。図１１は、第２の実施形態に係る情報表示装置１００Ａの全体構成を示す図である。図１と比較して、記憶部１３０の構成要素が異なり、ファイル管理プログラム１３２、ファイルシステムデータベース（図１１ではファイルシステムＤＢと記載、後記する図１２参照）１７０およびフィルタデータベース（図１１ではフィルタＤＢと記載、後記する図１３参照）１８０を備える。
【００５０】
ファイル管理プログラム１３２は、コンピュータである情報表示装置１００Ａやファイルサーバ、クラウド（不図示）に格納されているファイルを検索したり、コピーしたり、閲覧したりするためのプログラムである。利用者は、後記する図１４に示すファイル管理画面上でフォルダとファイルが構成する木構造（ファイルシステム）を辿って、ファイルを探し出し、閲覧したり、コピーしたりできる。
【００５１】
≪第２の実施形態：ファイルシステムデータベースの構成≫
図１２は、第２の実施形態に係るファイルシステムデータベース１７０のデータ構成図である。ファイルシステムデータベース１７０は、例えば表形式のデータであり、１つの行（レコード）は、１つのファイルまたはフォルダを示す。ファイルシステムデータベース１７０のレコードは、ファイル識別情報１７１、上位フォルダ１７２、種別１７３、名称１７４、参照日時１７５および更新日時１７６の属性（列）を含む。
【００５２】
ファイル識別情報１７１は、レコードが示すファイルまたはフォルダの識別情報である。上位フォルダ１７２は、レコードが示すファイルまたはフォルダの上位フォルダ（当該ファイルまたはフォルダが存在するフォルダ）のファイル識別情報１７１である。種別１７３は、レコードがフォルダかファイルかを示す。名称１７４は、ファイルまたはフォルダの名前である。
【００５３】
参照日時１７５は、ファイルが最後に閲覧された日時やフォルダにあるファイルが最後に閲覧された日時を示す。更新日時１７６は、ファイルが最後に更新された日時やフォルダにあるファイルが最後に更新された日時を示す。
【００５４】
レコード１７９は、ファイル識別情報１７１が「３００１４６」であり、名称１７４が「zdd938.zip」であるファイルであって、レコード１７８に示されるファイル識別情報１７１が「３０００３４」である「ダウンロード」フォルダに格納されていることが示されている。ファイル「zdd938.zip」の最後に更新されたのは、２０１８年４月３日１１時０分１２秒であり、最後に閲覧されたのは、同日同時同分の３２秒である。
【００５５】
ファイルシステムデータベース１７０は、上記した属性以外にも、ファイルの種別やファイル内容、フォルダ内容（フォルダに含まれるファイルやフォルダのファイル識別情報１７１の一覧）などの属性を含むが、図示していない。
【００５６】
≪第２の実施形態：フィルタデータベースの構成≫
図１３は、第２の実施形態に係るフィルタデータベース１８０のデータ構成図である。フィルタデータベース１８０は、例えば表形式のデータであり、１つの行（レコード）は、１つのフィルタを示す。フィルタデータベース１８０のレコードは、フィルタ識別情報１８１、検索条件種別１８２およびパラメータ１８３を含む。
【００５７】
フィルタ識別情報１８１は、レコードが示すフィルタの識別情報である。検索条件種別１８２は、「参照日時」や「更新日時」、「ファイル種別」、「ファイルサイズ」、「お気に入り」などのフィルタの検索条件種別を示す。パラメータ１８３は、検索のパラメータを示す。
【００５８】
レコード１８７は、フィルタ識別情報１８１が「４００００１」のフィルタを表しており、検索条件種別１８２は「参照日時」であって、パラメータ１８３にある「１週以内」に閲覧された、ファイルを検索することを示している。
【００５９】
レコード１８８のフィルタの検索条件種別１８２は「ファイル種別」であり、パラメータ１８３にある「イメージ」形式のファイルを検索することを示している。レコード１８９のフィルタの検索条件種別１８２は「お気に入り」であり、パラメータ１８３にある「開発計画書」を名称１７４（図１２参照）に含むファイルを検索することを示している。
【００６０】
≪第２の実施形態：画面操作例≫
情報表示装置１００Ａのファイル検索処理を説明する前に、図１４〜図１８を参照して、利用者の操作と画面遷移を説明する。図１４は、第２の実施形態に係るファイル管理プログラムのファイル管理画面４００の画面構成を示す図である。ファイル管理画面４００の左側のフォルダ表示領域４０２には、ファイル管理画面４００の右側のファイル一覧表示領域４０３に表示されているファイルやフォルダ（図１４ではフォルダのみが表示されている）が存在するフォルダの位置が示されている。図１４では、「コンピュータ」が強調表示されており、「コンピュータ」フォルダに、ファイル一覧表示領域４０３に示される「プロジェクトＢ」フォルダ４０４などが存在する。
【００６１】
ファイル管理画面４００の右上の虫眼鏡ボタン４０１にポインタ４１０が移動されてクリックされると、フィルタ選択画面４０５（後記する図１５参照）が表示される。図１５は、第２の実施形態に係る、フィルタ選択画面４０５が表示されたファイル管理プログラムのファイル管理画面４００を示す図である。フィルタ選択画面４０５には、フィルタデータベース１８０（図１３参照）に登録されているフィルタと、フィルタを設定しない「検索条件なし」とが表示される。フィルタ選択画面４０５でポインタ４１０Ａを用いて「お気に入り（開発計画書）」が選択されると、レコード１８９に対応するフィルタが選択され、レコード１８９の検索条件に合致する下位のファイルが検索されるようになる。「検索条件なし」が選択されると、全ての下位のファイルが検索されるようになる。
【００６２】
フィルタ選択画面４０５でフィルタまたは「検索条件なし」が選択される（下位項目表示領域表示操作）と、虫眼鏡４２０（後記する図１６参照）が表示される。図１６は、第２の実施形態に係る虫眼鏡４２０が表示されたファイル管理プログラムのファイル管理画面４００を示す図である。虫眼鏡（下位項目表示領域）４２０の中心には、虫眼鏡４２０のポインタとなる十字ポインタ（検索起点項目指定ポインタ）４２１が表示されている。
【００６３】
利用者が、検索対象のフォルダに十字ポインタ４２１が中るように虫眼鏡４２０をドラッグする（検索指示操作）と、フィルタ選択画面４０５で選択されたフィルタの検索条件に合致し、虫眼鏡４２０に移動先のフォルダ（以下、移動先フォルダまたは検索起点項目と記す）の下位のフォルダやファイル（フォルダ内容）が虫眼鏡４２０に表示される。フィルタ選択画面４０５で「検索条件なし」が選択された場合には、移動先フォルダの下位ファイル全てが虫眼鏡４２０に表示される。
【００６４】
図１７は、第２の実施形態に係る、フォルダ内容を示す虫眼鏡４２０Ａが表示されたファイル管理プログラムのファイル管理画面４００を示す図である。図１６の虫眼鏡４２０の柄をポインタ４２２で掴んでドラッグして、十字ポインタ４２１を「プロジェクトＢ」フォルダ４０４に合わせると、フィルタ選択画面４０５で選択されたフィルタ（図１３のレコード１８９参照）の検索条件に合致するファイルが虫眼鏡４２０Ａに表示される。なお、図１７では、虫眼鏡４２０Ａがドラッグされている途中なので、ポインタ４２２は矢印のアイコン（図１６のポインタ４１０Ｂ参照）から手のアイコンに変化している。
【００６５】
検索結果のファイルは、「プロジェクトＢ」フォルダ４０４の下位のフォルダやファイルの階層が判るように表示される。虫眼鏡４２０Ａを参照すれば、利用者は、「プロジェクトＢ」フォルダ４０４の下位には「開発計画書」フォルダがあって、「開発計画書」フォルダにフィルタに合致する「開発計画書ver.0.01」他のファイルが存在することが判る。
【００６６】
利用者が、虫眼鏡４２０Ａのドラッグを止めて、ポインタを虫眼鏡４２０Ａの内部に移動すると、虫眼鏡４２０Ａに表示されたファイルを選択することができる。図１８は、第２の実施形態に係る、虫眼鏡４２０Ａ内にポインタ４１０Ｃが移動されたときのファイル管理プログラムのファイル管理画面４００を示す図である。利用者がマウスをクリックするとポインタ４１０Ｃが指している「開発計画書ver.0.02」ファイルが表示されて閲覧可能となる。
【００６７】
≪第２の実施形態：虫眼鏡操作処理≫
図１９は、第２の実施形態に係る虫眼鏡操作処理のフローチャートである。図１９を参照して、制御部１１０が実行する虫眼鏡操作処理の流れを示す。
ステップＳ２０１において、制御部１１０は、検知した利用者の操作が虫眼鏡ボタン４０１（図１４参照）のクリックか否かを判断する。虫眼鏡ボタン４０１のクリックであれば（ステップＳ２０１→Ｙ）ステップＳ２０３に進み、虫眼鏡ボタン４０１のクリックでなければ（ステップＳ２０１→Ｎ）ステップＳ２０２に進む。
【００６８】
ステップＳ２０２において、制御部１１０は、ステップＳ２０１において検知した操作に対応する処理を実行する。例えば、制御部１１０が、ファイル一覧表示領域４０３（図１４参照）において、「プログラム」フォルダのクリックを検知したならば、「プログラム」フォルダのファイルやフォルダの一覧を表示するファイル管理画面（不図示）に遷移する。
【００６９】
ステップＳ２０３において、制御部１１０は、フィルタを取得する。詳しくは、制御部１１０は、フィルタ選択画面４０５（図１５参照）を表示し、利用者が選択したフィルタまたは「検索条件なし」を取得する。選択されたフィルタは、選択済みフィルタ（指定済み検索条件）として記憶部１３０に記憶される。「検索条件なし」が選択されたときには、選択済みフィルタが削除される。
【００７０】
ステップＳ２０４において、制御部１１０は、虫眼鏡４２０（図１６参照）を表示する。この時点では、虫眼鏡４２０が表示されるだけであり、虫眼鏡４２０内にファイルやフォルダは表示されない。
ステップＳ２０５において、制御部１１０は、虫眼鏡４２０に対する操作を検知して、操作種別に応じてステップＳ２０６〜Ｓ２０９に分岐する。制御部１１０は、虫眼鏡４２０をフォルダに移動する（十字ポインタ４２１をフォルダに合わせる）操作を検知すると（ステップＳ２０５→虫眼鏡をフォルダに移動）ステップＳ２０６に進む。制御部１１０は、マウスホイールを回す操作を検知すると（ステップＳ２０５→ホイールを回す）ステップＳ２０７に進む。制御部１１０は、ポインタ４１０Ｃ（図１８参照）が虫眼鏡４２０Ａ内にあるときにマウスボタンまたはマウスホイールをクリックする操作を検知すると（ステップＳ２０５→虫眼鏡内でボタンまたはホイールをクリック）ステップＳ２０８に進む。制御部１１０は、虫眼鏡ボタン４０１のクリック、キーボード１２２のエスケープキー入力、またはポインタ４１０Ｃが虫眼鏡外にあるときのクリックを検知すると（ステップＳ２０５→虫眼鏡ボタンのクリックまたはエスケープキー入力）ステップＳ２０９に進む。
【００７１】
ステップＳ２０６において、制御部１１０は、移動先のフォルダ（以下、移動先フォルダと記す）の内容を虫眼鏡に表示して、ステップＳ２０５に戻る。本処理の内容は、ステップＳ１０３（図９参照）に示した拡大画面の表示処理とほぼ同様である。詳しくは、制御部１１０は、ステップＳ２０３において「検索条件なし」が選択されていれば（選択済みフィルタが記憶されていない）、ファイルシステムデータベース１７０のなかで移動先フォルダの下位に存在するフォルダやファイルを検索して虫眼鏡に表示する。ステップＳ２０３においてフィルタが選択されていれば（選択済みフィルタが記憶されている）、ファイルシステムデータベース１７０のなかで移動先フォルダの下位に存在し、フィルタに対応する検索条件種別１８２とパラメータ１８３とに合致するフォルダやファイルを検索して虫眼鏡に表示する。
【００７２】
ステップＳ２０７において、制御部１１０は、虫眼鏡に表示されたフォルダ内容（検索結果のフォルダやファイル）をスクロールして、ステップＳ２０５に戻る。
ステップＳ２０８において、制御部１１０は、虫眼鏡４２０Ａ（図１８参照）の表示を終了し、ポインタ４１０Ｃが指しているファイルを表示して、ステップＳ２０１に戻る。
ステップＳ２０９において、制御部１１０は、虫眼鏡４２０Ａの表示を終了し、ステップＳ２０１に戻る。
【００７３】
≪第２の実施形態：特徴≫
虫眼鏡がフォルダの上に移動されると、制御部１１０は、当該フォルダの全ての下位ファイルまたは選択済みフィルタの条件に合致する下位ファイルを虫眼鏡内に表示する。また、虫眼鏡が別のフォルダに移動されると、移動先のフォルダの下位ファイル、または選択済みフィルタの条件に合致したファイルが表示される。このようにして、虫眼鏡をフォルダからフォルダへと移動させるだけで、利用者は、所望のファイルが何処にあるかを探すことができる。
【００７４】
従来までは、利用者は、フォルダをクリックしたり、上位フォルダに戻る操作をしたりしながら、フォルダやファイルの階層構造のなかを移動して目的のファイルを探していた。情報表示装置１００Ａの利用者は、クリックする必要がなくなり、虫眼鏡の移動操作だけで目的のファイルを探すことができようになるため、煩雑な操作から開放される。
【００７５】
また、利用者は、虫眼鏡内で目的のファイルをクリックする（図１９のステップＳ２０５→虫眼鏡内でボタンまたはホイールをクリック、ステップＳ２０８参照）と当該ファイルが表示される。利用者は探し出したファイルを即座に閲覧することができる。
利用者は、フィルタデータベース１８０（図１３参照）にフィルタを登録してフィルタ選択画面４０５（図１５参照）で選択することで頻繁に閲覧するファイルを虫眼鏡に表示させ、容易にファイルを閲覧することができるようになる。例えば、ファイル名がお気に入りとして登録されていれば（図１３のレコード１８９参照）、パラメータ１８３に登録した文字列をファイル名に含むファイルが表示される。
【００７６】
≪第２の実施形態：変形例≫
上記した第２の実施形態では、虫眼鏡ボタン４０１がクリックされて、フィルタが選択されることで虫眼鏡が表示される。続いて、虫眼鏡がドラッグされて、その移動先のフォルダ内容が虫眼鏡内に表示される。これに対して、フィルタ選択後に、矢印のポインタ（図１４のポインタ４１０参照）の替わりに虫眼鏡が表示され、虫眼鏡の移動先のフォルダ内容が虫眼鏡内に表示されるようにしてもよい。
【００７７】
図２０は、第２の実施形態の変形例に係り、矢印のポインタの替わりに虫眼鏡が表示されたファイル管理プログラムのファイル管理画面４００Ａを示す図である。図１６では、虫眼鏡４２０の表示後もポインタ４１０Ｂが表示され、利用者は、ポインタ４１０Ｂで虫眼鏡４２０の柄をドラッグして（図１７参照）虫眼鏡４２０を移動していた。図２０では、虫眼鏡ボタン４０１がクリックされて、フィルタ選択画面４０５（図１５参照）でフィルタが選択されると、ポインタ４１０が表示されなくなり、替わりに虫眼鏡４３０が表示される。利用者は、ドラッグせずとも虫眼鏡を移動することができる。
【００７８】
図２１は、第２の実施形態の変形例に係り、ポインタに替わる虫眼鏡（下位項目表示領域）４３０Ａが表示されたファイル管理プログラムのファイル管理画面４００Ａを示す図である。虫眼鏡４３０Ａは、フィルタ選択画面４０５（図１５参照）において、「検索条件なし」が選択されて表示されている。虫眼鏡４３０Ａの十字ポインタ（検索起点項目指定ポインタ）４３１が「プロジェクトＡ」フォルダに合わせられ、フォルダ内容が表示される（図１９のステップＳ２０６参照）。マウスホイールをスクロールすると、表示内容がスクロールされる（ステップＳ２０７参照）。所望のファイルが虫眼鏡４３０の十字ポインタ４３１の下に来るようにスクロールしてクリックすると、ファイルが表示される（ステップＳ２０８参照）。
【００７９】
虫眼鏡内には、移動先フォルダの下位のフォルダとファイル全てが階層的に表示されている（図２１参照）。制御部１１０は、時間を追って深い階層のフォルダとファイルとを表示するようにしてもよい。詳しくは、表示直後は移動先フォルダ直下のフォルダとファイルのみを表示し、所定の時間が経過すると、１つ下の階層のフォルダとファイルまで表示するようにして、さらに時間が経過するごとに下位の階層を表示するようにしてもよい。
【００８０】
≪第３の実施形態：虫眼鏡表示時に検索条件を指定≫
第２の実施形態では、フィルタデータベース１８０（図１３参照）に登録済みのフィルタが選択されており（図１５のフィルタ選択画面４０５参照）、フィルタの条件に合致する下位のファイルが虫眼鏡に表示されていた。第３の実施形態は、虫眼鏡表示時に検索条件が設定される。
【００８１】
図２２は、第３の実施形態に係る情報表示装置１００Ｂの全体構成を示す図である。図１１と比較して、記憶部１３０のファイル管理プログラム１３２がファイル管理プログラム１３２Ａになり、フィルタデータベース１８０を備えていない。
【００８２】
≪第３の実施形態：画面操作例≫
情報表示装置１００Ｂのファイル検索処理を説明する前に、図２３〜図３０を参照して、利用者の操作と画面遷移を説明する。図２３は、第３の実施形態に係るファイル管理プログラムのファイル管理画面５００の画面構成を示す図である。ファイル管理画面５００の左側のフォルダ表示領域５０２には、ファイル管理画面５００の右側のファイル一覧表示領域５０３に表示されているファイルやフォルダ（図２３ではフォルダのみが表示されている）が存在するフォルダの位置が示されている。図２３では、「クラウド」が強調表示されており、「クラウド」フォルダに、ファイル一覧表示領域５０３に示される「共有フォルダ」、「顧客」などのフォルダが存在する。
【００８３】
ファイル管理画面５００の右上の虫眼鏡ボタン５０１にポインタ５１０が移動されてクリックされると、検索条件種別選択メニュー５１１（後記する図２４参照）が表示される。図２４は、第３の実施形態に係る虫眼鏡の検索条件種別選択メニュー５１１が表示されたファイル管理プログラムのファイル管理画面５００を示す図である。検索条件種別選択メニュー５１１には、「参照日(以内)」、「参照日(以前) 」、「ファイル種別」、「ファイル名検索」および「文書検索」の検索条件と、「終了」とが表示されている。
【００８４】
「参照日(以内)」は、ファイル参照日が所望の日にち以内のファイルを検索するときに指定される検索条件種別である。「参照日(以前)」は、ファイル参照日が所望の日にち以前のファイルを検索するときに指定される検索条件種別である。「ファイル種別」は、所望の種別のファイルを検索するときに指定される検索条件種別である。「ファイル名検索」は、ファイル名に所望の文字列を含むファイルを検索するときに指定される検索条件種別である。「文書検索」は、所望のキーワードを含むファイルを検索するときに指定される検索条件種別である。「終了」は、虫眼鏡の表示を終了するときに指定される。
検索条件には、上記の他に「更新日（以前）」や「ファイルサイズ」などを含んでもよい。
【００８５】
利用者が所望の検索条件種別である「参照日（以内）」をポインタ５１０Ａで指してクリックすると、後記する図２５に記載のファイル管理画面５００に遷移する。図２５は、第３の実施形態に係る虫眼鏡の検索条件パラメータ選択メニュー５１２が表示されたファイル管理プログラムのファイル管理画面５００を示す図である。検索条件パラメータ選択メニュー５１２は、「参照日（以内）」の検索条件種別に対応した検索条件パラメータ選択メニューであり、日数や週数が選択できるようになっている。検索条件種別選択メニュー５１１において「ファイル種別」が選択された場合には、ファイル種別が表示されて選択可能である検索条件パラメータ選択メニューが表示される。検索条件種別選択メニュー５１１において「ファイル名検索」や「文書検索」が選択された場合には、テキストボックスが表示されて検索対象の文字列が入力可能となる。
【００８６】
利用者が所望の検索条件パラメータである「３日」をポインタ５１０Ｂで指してクリックすると、選択した検索条件の虫眼鏡５２０（後記する図２６参照）が表示される。図２６は、第３の実施形態に係る、「参照日（３日以内）検索」の虫眼鏡５２０が表示されたファイル管理プログラムのファイル管理画面５００を示す図である。利用者が虫眼鏡（下位項目表示領域）５２０をドラッグして十字ポインタ（検索起点項目指定ポインタ）５２１をフォルダに合わせるように移動する（検索指示操作）と、移動先のフォルダの下位ファイルで３日以内に参照されたファイルが虫眼鏡に表示される。
【００８７】
図２７は、第３の実施形態に係る、３種類の虫眼鏡が表示されたファイル管理プログラムのファイル管理画面５００を示す図である。検索条件種別選択メニュー５１１（図２４参照）において、「ファイル種別」が選択されて、検索条件パラメータ選択メニューで「ＰＤＦ」が選択されると虫眼鏡５３０が表示される。また、検索条件種別選択メニュー５１１において、「ファイル名検索」が選択されて、検索条件パラメータ選択メニューで「要件定義」が入力されると虫眼鏡５４０が表示される。
【００８８】
虫眼鏡を重ねることで、検索条件がＡＮＤで組み合わされた１つの虫眼鏡が表示される。図２８は、第３の実施形態に係る、２種類の虫眼鏡を合体した後のファイル管理プログラムのファイル管理画面５００を示す図である。利用者が虫眼鏡５３０（図２７参照）を移動して虫眼鏡５２０に重ねると、虫眼鏡５２０，５３０が表示されなくなり、替わりに虫眼鏡５５０が表示される。虫眼鏡５５０の検索条件は、ファイル参照日が３日以内、かつ、ファイル種別がＰＤＦである。これは、虫眼鏡５２０，５３０の検索条件がＡＮＤで結合された条件である。
【００８９】
図２９は、第３の実施形態に係る、３種類の虫眼鏡を重ねた後のファイル管理プログラムのファイル管理画面５００を示す図である。利用者が虫眼鏡５４０（図２８参照）を移動して虫眼鏡５５０に重ねると、虫眼鏡５４０，５５０が表示されなくなり、替わりに虫眼鏡５６０が表示される。虫眼鏡５６０の検索条件は、ファイル参照日が３日以内、かつ、ファイル種別がＰＤＦ、かつ、ファイル名に「要件定義」を含むである。これは、虫眼鏡５４０，５５０の検索条件がＡＮＤで結合された条件である。
【００９０】
利用者が、条件を組み合わせた虫眼鏡（下位項目表示領域）５６０をドラッグして十字ポインタ（検索起点項目指定ポインタ）をフォルダ（移動先フォルダ、検索起点項目）に合わせる（検索指示操作）と、組み合わせた条件に合致する移動先フォルダの下位のファイルが虫眼鏡内に表示される。
【００９１】
図３０は、第３の実施形態に係る、検索結果を表示した虫眼鏡５６０Ａが表示されたファイル管理プログラムのファイル管理画面５００を示す図である。利用者は、ポインタ５１０Ｃを用いて虫眼鏡５６０Ａ内に表示されたファイルを指定してクリックすることで、ファイルを閲覧することが可能となる。
【００９２】
≪第３の実施形態：虫眼鏡操作処理≫
図３１は、第３の実施形態に係る虫眼鏡操作処理のフローチャートである。図３１を参照して、制御部１１０が実行する虫眼鏡操作処理の流れを示す。
ステップＳ３０１において、制御部１１０は、検知した利用者の操作が虫眼鏡ボタン５０１のクリックか否かを判断する。虫眼鏡ボタン５０１のクリックであれば（ステップＳ３０１→Ｙ）ステップＳ３０５に進み、虫眼鏡ボタン５０１のクリックでなければ（ステップＳ３０１→Ｎ）ステップＳ３０２に進む。
【００９３】
ステップＳ３０２において、制御部１１０は、ステップＳ３０１において検知した利用者の操作が虫眼鏡を移動する操作か否かを判断する。虫眼鏡の移動作操作であれば（ステップＳ３０２→Ｙ）ステップＳ３０３に進み、虫眼鏡の移動操作でなければ（ステップＳ３０２→Ｎ）ステップＳ３０４に進む。
ステップＳ３０３の詳細は、後記する図３２で説明する。
【００９４】
ステップＳ３０４において、制御部１１０は、ステップＳ３０１において検知した操作に対応する処理を実行する。例えば、制御部１１０が、ファイル一覧表示領域５０３（図２３参照）において、「事務手続き」フォルダのクリックを検知したならば、「事務手続き」フォルダのファイルやフォルダの一覧を表示する画面に遷移する。また、虫眼鏡が表示中であり、虫眼鏡内に表示されたファイルがクリックされた場合には、制御部１１０は、クリックされたファイルを表示する。
【００９５】
ステップＳ３０５において、制御部１１０は、検索条件種別選択メニュー５１１（図２４参照）を表示する。
【００９６】
ステップＳ３０６において、制御部１１０は、検索条件種別選択メニュー５１１において選択された検索条件種別または「終了」を検出して、検出された検索条件種別または「終了」に応じてステップＳ３０７〜Ｓ３１２に分岐する。「参照日（以内）」を検出すると（ステップＳ３０６→参照日（以内））制御部１１０はステップＳ３０７に進む。「参照日（以前）」を検出すると（ステップＳ３０６→参照日（以前））制御部１１０はステップＳ３０８に進む。「ファイル種別」を検出すると（ステップＳ３０６→ファイル種別）制御部１１０はステップＳ３０９に進む。「ファイル名検索」を検出すると（ステップＳ３０６→ファイル名検索）制御部１１０はステップＳ３１０に進む。「文書検索」を検出すると（ステップＳ３０６→文書検索）制御部１１０はステップＳ３１１に進む。「終了」を検出すると（ステップＳ３０６→終了）制御部１１０はステップＳ３１２に進む。
【００９７】
ステップＳ３０７において、制御部１１０は、日数が選択される検索条件パラメータ選択メニュー５１２（図２５参照）を表示して、利用者が指定した日数を取得し、最終参照日が取得した日数以内であることを検索条件とする虫眼鏡（図２７の虫眼鏡５２０参照）を表示して、ステップＳ３０１に戻る。
【００９８】
ステップＳ３０８において、制御部１１０は、日数が選択される検索条件パラメータ選択メニューを表示して、利用者が指定した日数を取得し、最終参照日が取得した日数以前であることを検索条件とする虫眼鏡を表示して、ステップＳ３０１に戻る。
ステップＳ３０９において、制御部１１０は、ファイル種別が選択される検索条件パラメータ選択メニューを表示して、利用者が指定したファイル種別を取得し、ファイル種別が取得したファイル種別であることを検索条件とする虫眼鏡（図２７の虫眼鏡５３０参照）を表示して、ステップＳ３０１に戻る。
【００９９】
ステップＳ３１０において、制御部１１０は、テキストボックスを表示して、利用者が指定した文字列を取得し、ファイル名に取得した文字列が含まれていることを検索条件とする虫眼鏡（図２７の虫眼鏡５４０参照）を表示して、ステップＳ３０１に戻る。
ステップＳ３１１において、制御部１１０は、テキストボックスを表示して、利用者が指定した文字列を取得し、ファイルに取得した文字列が含まれていることを検索条件とする虫眼鏡を表示して、ステップＳ３０１に戻る。
【０１００】
ステップＳ３１２において、制御部１１０は、表示している虫眼鏡の表示を終了して、ステップＳ３０１に戻る。この処理は、図２６〜図３０に示すように虫眼鏡が表示されていて、虫眼鏡ボタン５０１（図２３参照）がクリックされ、検索条件種別選択メニュー５１１（図２４参照）で「終了」が選択されたときに、虫眼鏡の表示を終了する処理である。
【０１０１】
≪第３の実施形態：虫眼鏡移動処理≫
図３２は、第３の実施形態に係る虫眼鏡移動処理のフローチャートである。図３２を参照して、図３１に記載されたステップＳ３０３の虫眼鏡移動処理の流れを示す。
ステップＳ３２１において、制御部１１０は、虫眼鏡の移動先を検出する。
【０１０２】
ステップＳ３２２において、制御部１１０は、ステップＳ３２１において検出した移動先に応じてステップＳ３２３〜Ｓ３２７に分岐する。移動先がフォルダであれば（ステップＳ３２２→フォルダ）制御部１１０はステップＳ３２３に進む。移動先がファイルであれば（ファイル一覧表示領域５０３（図２３参照）にファイルが表示されており、このファイルに虫眼鏡が移動）（ステップＳ３２２→ファイル）制御部１１０はステップＳ３２４に進む。移動先が虫眼鏡であれば（図２８と図２９参照）（ステップＳ３２２→虫眼鏡）制御部１１０はステップＳ３２５に進む。移動先がファイル一覧表示領域５０３の上部であれば（ステップＳ３２２→ファイル一覧表示領域上部）制御部１１０はステップＳ３２６に進む。移動先がファイル一覧表示領域５０３の下部であれば（ステップＳ３２２→ファイル一覧表示領域下部）制御部１１０はステップＳ３２７に進む。
【０１０３】
ステップＳ３２３において、制御部１１０は、移動先のフォルダ（以下、移動先フォルダと記す）の内容を表示する。詳しくは、制御部１１０は、移動先フォルダの下位のファイルであって、虫眼鏡の検索条件に合致したファイルをファイルシステムデータベース１７０（図１２参照）のなかで検索して表示する。
ステップＳ３２４において、制御部１１０は、虫眼鏡の表示を終了し、移動先のファイルの内容を表示する。
【０１０４】
ステップＳ３２５において、制御部１１０は、移動した虫眼鏡および移動先の虫眼鏡の表示を終了（中止）し、移動した虫眼鏡に設定された検索条件と移動先の虫眼鏡に設定された検索条件のＡＮＤとなる条件の虫眼鏡を表示する（図２８の虫眼鏡５５０と図２９の虫眼鏡５６０参照）。
ステップＳ３２６において、制御部１１０は、ファイル一覧表示領域５０３（図２３参照）を下にスクロールする。
ステップＳ３２７において、制御部１１０は、ファイル一覧表示領域５０３を上にスクロールする。
【０１０５】
≪第３の実施形態：特徴≫
第２の実施形態では、ファイルの検索条件はフィルタとして予めフィルタデータベース１８０（図１３参照）に登録されていた。これに対して、第３の実施形態では、虫眼鏡を表示するときに利用者が設定できるようにしている。これにより、ファイル名検索など、検索のたびに検索パラメータが異なることが多い検索条件種別において、利用者は、検索時に検索パラメータが設定でき、フォルダからフォルダへ虫眼鏡を移動するだけで、所望のファイルを検索することができる。
【０１０６】
≪第３の実施形態：変形例：ＯＲ条件≫
上記した第３の実施形態では、虫眼鏡を重ねると、新しい虫眼鏡の検索条件は、２つの虫眼鏡に設定された条件のＡＮＤをとった条件である。ＡＮＤに替えてＯＲとしてもよい。または、所定のキー（例えばＡＬＴキー）を押下しながら虫眼鏡を重ねるとＯＲになるとしてもよい。
【０１０７】
≪第３の実施形態：変形例：十字ポインタ≫
第３の実施形態では、虫眼鏡（下位項目表示領域）５２０のなかに明示的に十字ポインタ（検索起点項目指定ポインタ）５２１が表示されていた。制御部１１０は、明示的に十字ポインタ５２１を表示せずに、虫眼鏡５２０の中心を十字ポインタとして扱ってもよい。第２の実施形態においても同様に、制御部１１０は、明示的に十字ポインタ５２１を表示せずに、虫眼鏡５２０の中心を十字ポインタとして扱ってもよい。
【０１０８】
≪第３の実施形態：その他の変形例≫
虫眼鏡の検索条件は、虫眼鏡の柄に表示されている（図２６の虫眼鏡５２０参照）。柄に限らず、例えば、虫眼鏡の上部や下部に表示されてもよい。
【０１０９】
虫眼鏡のなかに表示されるフォルダ内容（フォルダに含まれるファイルやフォルダ）の表示は、拡大したり縮小したりできるようにしてもよい。例えば、図３０において、利用者が所定のキー（例えばコントロールキー）を押しながらホイールを回転したときに、制御部１１０が虫眼鏡５６０Ａ内の表示を縮小して多くのファイルを表示するようにしてもよい。第１の実施形態における拡大画面や第２の実施形態の虫眼鏡についても、同様に拡大したり縮小したりして、下位のメニューやフォルダ、ファイルを表示できるようにしてもよい。
【０１１０】
第１の実施形態において拡大画面の表示対象となっているメニューの名前を拡大画面上部に表示する（図１０参照）のと同様に、制御部１１０は、第２と第３の実施形態においても虫眼鏡の表示対象となっているフォルダの名前を所定の位置に表示するようにしてもよい。例えば、制御部１１０は、虫眼鏡の周辺またはファイル管理画面４００，５００の所定の位置に、ファイルシステムの最上位からフォルダから順番に当該フォルダまでの名前を並べて表示してもよい。
【０１１１】
以下に、この出願の願書に最初に添付した特許請求の範囲に記載した発明を付記する。付記に記載した請求項の項番は、この出願の願書に最初に添付した特許請求の範囲のとおりである。
【０１１２】
≪付記≫
《請求項１》
木構造を構成する項目のなかで検索の起点となる項目を示す検索起点項目より下位の項目を表示する情報表示装置であって、
指定された前記検索の検索条件を指定済み検索条件として記憶する記憶部と、
画面に表示された前記項目を前記検索起点項目に指定する所定の検索指示操作を検出した場合、前記指定済み検索条件が記憶されているときには、当該項目の下位にあり前記指定済み検索条件に合致する項目を下位項目表示領域に表示し、前記指定済み検索条件が記憶されていないときには、当該項目の下位にある項目を前記下位項目表示領域に表示する制御部とを備え、
前記下位項目表示領域は、前記画面の上に重ねて表示される
ことを特徴とする情報表示装置。
《請求項２》
前記情報表示装置は、ポインティングデバイスを備え、
前記所定の検索指示操作は、前記画面に表示される前記ポインティングデバイスのポインタが前記項目を所定の時間に亘って指定する操作である
ことを特徴とする請求項１に記載の情報表示装置。
《請求項３》
前記情報表示装置は、前記画面が表示されるタッチパネルディスプレイを備え、
前記所定の検索指示操作は、前記画面に表示された前記項目を所定の時間タッチする操作、所定の時間内に複数回タッチする操作、または、所定の押圧力以上でタッチする操作である
ことを特徴とする請求項１に記載の情報表示装置。
《請求項４》
前記下位項目表示領域は、
所定の下位項目表示領域表示操作を検出したときに表示され、前記検索起点項目を指定する検索起点項目指定ポインタを含み、
前記検索指示操作は、
前記検索起点項目指定ポインタを用いて前記検索起点項目が指定される操作である
ことを特徴とする請求項１に記載の情報表示装置。
《請求項５》
木構造を構成する項目のなかで検索の起点となる項目を示す検索起点項目より下位の項目を表示する制御部を備える情報表示装置であって、
前記制御部は、
画面に表示された前記項目を前記検索起点項目に指定する検索起点項目指定ポインタを含み、指定された前記検索の検索条件が付与された下位項目表示領域を表示し、
前記検索起点項目指定ポインタを用いて前記検索起点項目が指定される操作を検出すると、当該検索起点項目の下位にあり前記検索条件に合致する項目を前記下位項目表示領域に表示する
ことを特徴とする情報表示装置。
《請求項６》
前記制御部は、
複数の前記下位項目表示領域を表示し、
第１の前記下位項目表示領域が第２の前記下位項目表示領域に重ねられるように移動される操作を検出した場合、第１の前記下位項目表示領域および第２の前記下位項目表示領域の表示を中止し、第１の前記下位項目表示領域に付与された検索条件および第２の前記下位項目表示領域に付与された検索条件をＡＮＤまたはＯＲで結合された検索条件が付与された下位項目表示領域を表示する
ことを特徴とする請求項５に記載の情報表示装置。
《請求項７》
前記制御部は、
前記下位項目表示領域に表示された項目が指定される操作を検出すると、当該項目にアクセスする
ことを特徴とする請求項１〜６のいずれか１項に記載の情報表示装置。
《請求項８》
前記検索条件は、検索対象となる項目の名称に指定された文字列を含むという条件、検索対象となる項目の種別が指定された種別であるという条件、および、検索対象となる項目が最後にアクセスされた日時が指定された期間内であるという条件の１つまたは複数の組み合わせである
ことを特徴とする請求項１〜７のいずれか１項に記載の情報表示装置。
《請求項９》
前記項目は、ファイルシステムにおけるファイルおよびフォルダであり、
前記アクセスは、前記ファイルを閲覧するアクセスまたは更新するアクセスである
ことを特徴とする請求項７または８に記載の情報表示装置。
《請求項１０》
前記項目は、メニューであり、
前記アクセスは、前記メニューの実行である
ことを特徴とする請求項７または８に記載の情報表示装置。
《請求項１１》
コンピュータを請求項１〜１０のいずれか１項に記載の情報表示装置として機能させるための情報表示プログラム。
【符号の説明】
【０１１３】
１００，１００Ａ，１００Ｂ  情報表示装置
１１０  制御部
１４０  メニュー階層データベース
１６０，１８０  フィルタデータベース
１７０  ファイルシステムデータベース
３００  メニュー画面（画面）
３０１，３０２  メニュー（項目）
３２０，３２０Ａ，３４０，３４０Ａ  拡大画面（下位項目表示領域）
４００，４００Ａ，５００  ファイル管理画面（画面）
４０４  フォルダ（項目）
４２０，４２０Ａ，４３０，４３０Ａ，５２０，５３０，５４０，５５０，５６０，５６０Ａ  虫眼鏡（下位項目表示領域）
４２１，４３１，５２１  十字ポインタ（検索起点項目指定ポインタ）
【図１】
2019207472.tif 000003
【図２】
2019207472.tif 000004
【図３】
2019207472.tif 000005
【図４】
2019207472.tif 000006
【図５】
2019207472.tif 000007
【図６】
2019207472.tif 000008
【図７】
2019207472.tif 000009
【図８】
2019207472.tif 000010
【図９】
2019207472.tif 000011
【図１０】
2019207472.tif 000012
【図１１】
2019207472.tif 000013
【図１２】
2019207472.tif 000014
【図１３】
2019207472.tif 000015
【図１４】
2019207472.tif 000016
【図１５】
2019207472.tif 000017
【図１６】
2019207472.tif 000018
【図１７】
2019207472.tif 000019
【図１８】
2019207472.tif 000020
【図１９】
2019207472.tif 000021
【図２０】
2019207472.tif 000022
【図２１】
2019207472.tif 000023
【図２２】
2019207472.tif 000024
【図２３】
2019207472.tif 000025
【図２４】
2019207472.tif 000026
【図２５】
2019207472.tif 000027
【図２６】
2019207472.tif 000028
【図２７】
2019207472.tif 000029
【図２８】
2019207472.tif 000030
【図２９】
2019207472.tif 000031
【図３０】
2019207472.tif 000032
【図３１】
2019207472.tif 000033
【図３２】
2019207472.tif 000034